(57)【要約】【課題】  構成簡素で、製造し易く、取扱い容易で、小さくコンパクトに構成でき、外観上の体裁も良く、装身具本体を引張っただけでは連結状態を解除できず、確実且つ安定的な連結力を発揮できる装身具用止具を提供する。【解決手段】  雌止具Ａ１と雄止具Ａ２は、半外殻体１、２と、半外殻体１、２内に固着する磁石３、４と、半外殻体１、２の開口縁寄り外周面に連設する取付部５、６とからなり、雌止具Ａ１の磁石３は、半外殻体１の開口縁部分を含むような面に対して僅かに奥方に位置するよう配して、雌止具Ａ１の接合部分に嵌合凹部を設け、雄止具Ａ２の磁石４は、半外殻体２の開口縁部分を含むような面に対して僅かに突出するよう配して、雄止具Ａ２の接合部分に嵌合凸部を設け、一対の磁石３、４の磁着力で、嵌合凸部と嵌合凹部を嵌合させると共に、半外殻体１、２夫々の開口縁を衝接させるよう構成する。【選択図】図２
0003103433.tif 000002
【実用新案登録請求の範囲】
【請求項１】
ネックレスやブレスレットやアンクレット等の装身具本体の両端部分に取付けられる雌止具と雄止具とからなり、この雌止具と雄止具に設けた一対の磁石の磁着力を利用して、装身具本体の両端部分が連結自在となるように構成した装身具用止具であって、雌止具は、略有底円筒状の半外殻体と、この半外殻体内に固着される略円柱状の磁石と、半外殻体の開口縁寄り外周面に連設される取付部とからなり、雄止具は、略有底円筒状の半外殻体と、この半外殻体内に固着される略円柱状の磁石と、半外殻体の開口縁寄り外周面に連設される取付部とからなり、雌止具の磁石は、半外殻体の開口縁部分を含むような面に対して僅かに奥方に位置するように配されて、雌止具の接合部分に嵌合凹部を設け、雄止具の磁石は、半外殻体の開口縁部分を含むような面に対して僅かに突出するように配されて、雄止具の接合部分に嵌合凸部を設け、一対の磁石の磁着力によって、嵌合凸部が嵌合凹部に嵌合されると共に、半外殻体夫々の開口縁が衝接するように構成したことを特徴とする装身具用止具。
【請求項２】
前記取付部は、半外殻体の開口縁部分を含むような面に対して平行に配される取付基片を設け、この取付基片の略中央に取付孔を穿設して構成したことを特徴とする請求項１記載の装身具用止具。
【考案の詳細な説明】
【技術分野】
【０００１】
本考案は、主に、ネックレスやブレスレットやアンクレット等の装身具本体の両端部分に取付けられて、装身具本体の両端部分が連結自在となるようにした装身具用止具に関するものである。
【背景技術】
【０００２】
従来、この種の装身具用止具にあっては、例えば、特許文献１のネックレス等の止め具が開示されている。
そして、このネックレス等の止め具は、互いに円形部で回動するように嵌合する一対の結合部材から成り、一方の結合部材の嵌合端に、該嵌合端面で外部に開放して軸方向に向う適宜長さの突入溝と、該突入溝の内端から屈折して円周方向に沿わせた所定長さの回動溝と、該回動溝の端末から軸方向に屈折して嵌合端側に向う適宜長さの係合溝とを一連に形成した案内溝の少なくとも一個以上を設け、他方の結合部材の嵌合端には、前記案内溝の突入溝の開放端から進入させて該案内路に従って移動させる突部を、案内溝の配置に対応させて設け、両結合部材の各嵌合端部内に、夫々盤状の平坦面にＮ、Ｓの磁極を円周方向に交互に配置隣接させて着磁した磁石片を、該着磁面を外面に向けて固着して成るものである。
【０００３】
【特許文献１】実開平６−１２７号公報
【考案の開示】
【考案が解決しようとする課題】
【０００４】
しかしながら、前記特許文献１に示すようなネックレス等の止め具にあっては、確実な結合状態を得ることができるようにはなるが、その構成自体が複雑となる難点や、止め具自体をより小さく構成したときに、取扱い難いものとなる難点や、係合溝部分の強度が低下し、耐久性が低いものとなる等の難点があった。
【課題を解決するための手段】
【０００５】
そのため、本考案は、前述の如き課題を解消して、構成が簡素で、製造し易く、取扱いが容易で、小さくコンパクトに構成でき、外観上の体裁も良く、装身具本体を引張っただけでは連結状態を解除できず、確実且つ安定的な連結力を発揮できる装身具用止具を提供できるようにすべく案出されたものである。
【０００６】
しかして、請求項１記載の装身具用止具にあっては、ネックレスやブレスレットやアンクレット等の装身具本体Ｂの両端部分に取付けられる雌止具Ａ１と雄止具Ａ２とからなり、この雌止具Ａ１と雄止具Ａ２に設けた一対の磁石３、４の磁着力を利用して、装身具本体Ｂの両端部分が連結自在となるように構成した装身具用止具であって、雌止具Ａ１は、略有底円筒状の半外殻体１と、この半外殻体１内に固着される略円柱状の磁石３と、半外殻体１の開口縁寄り外周面に連設される取付部５とからなり、雄止具Ａ２は、略有底円筒状の半外殻体２と、この半外殻体２内に固着される略円柱状の磁石４と、半外殻体２の開口縁寄り外周面に連設される取付部６とからなり、雌止具Ａ１の磁石３は、半外殻体１の開口縁部分を含むような面に対して僅かに奥方に位置するように配されて、雌止具Ａ１の接合部分に嵌合凹部を設け、雄止具Ａ２の磁石４は、半外殻体２の開口縁部分を含むような面に対して僅かに突出するように配されて、雄止具Ａ２の接合部分に嵌合凸部を設け、一対の磁石３、４の磁着力によって、嵌合凸部が嵌合凹部に嵌合されると共に、半外殻体１、２夫々の開口縁が衝接するように構成する手段を採用した。
【０００７】
また、請求項２記載の装身具用止具にあっては、前記取付部５、６は、半外殻体１、２の開口縁部分を含むような面に対して平行に配される取付基片７、８を設け、この取付基片７、８の略中央に取付孔９、１０を穿設して構成する手段を採用した。
【考案の効果】
【０００８】
従って、請求項１記載の装身具用止具によれば、構成が簡素で、製造し易く、取扱いが容易で、小さくコンパクトに構成でき、外観上の体裁も良いものとなる。
特に、装身具本体Ｂを引張っただけでは連結状態を解除できず、確実且つ安定的な連結力を発揮できる装身具用止具となる。
【０００９】
また、請求項２記載の装身具用止具によれば、取付部５、６の構成が簡素で、装身具本体Ｂの両端部分を取付部５、６に簡単に且つ確実に取付けられるようになる。
更に、半外殻体１、２の開口縁部分を含むような面に対して平行に配される取付基片７、８を設けたので、一方の半外殻体１に設けられる一方の取付基片７と、他方の半外殻体２に設けられる他方の取付基片８とが、平行に配されると共に、半外殻体１、２の開口縁部分を含むような面に対して夫々接近した位置に配されるようになり、装身具本体Ｂの両端部分が引張られるような不意の外力が加えられた時に、嵌合凸部と嵌合凹部の連結状態が解除され難いものとなる。
【考案を実施するための最良の形態】
【００１０】
以下、本考案を図示例に基づいて説明すると、次の通りである。
本考案の装身具用止具は、主に、ネックレスや、ブレスレットや、アンクレット等の適宜チェーン状の装身具本体Ｂの両端部分に取付けられる雌止具Ａ１と雄止具Ａ２とからなり、この雌止具Ａ１と雄止具Ａ２に設けた一対の磁石３、４の磁着力を利用して、装身具本体Ｂの両端部分が連結自在となるように構成したものである。
【００１１】
そして、雌止具Ａ１は、略有底円筒状の半外殻体１と、この半外殻体１内に固着される略円柱状の磁石３と、半外殻体１の開口縁寄り外周面に連設される取付部５とからなり、一方、雄止具Ａ２は、略有底円筒状の半外殻体２と、この半外殻体２内に固着される略円柱状の磁石４と、半外殻体２の開口縁寄り外周面に連設される取付部６とからなっている。
【００１２】
更に、雌止具Ａ１の磁石３は、半外殻体１の開口縁部分を含むような面に対して僅かに奥方に位置するように配されて、雌止具Ａ１の接合部分に嵌合凹部を設け、雄止具Ａ２の磁石４は、半外殻体２の開口縁部分を含むような面に対して僅かに突出するように配されて、雄止具Ａ２の接合部分に嵌合凸部を設け、一対の磁石３、４の磁着力によって、嵌合凸部が嵌合凹部に嵌合されると共に、半外殻体１、２夫々の開口縁が衝接するように構成されている。
【実施例】
【００１３】
前記半外殻体１、２は、例えば、適宜貴金属製（或いは、貴金属メッキを施したもの）で、底板周縁部分が滑らかな湾曲面で構成されている略有底円筒状を呈している。
【００１４】
前記磁石３、４は、例えば、半外殻体１、２の内径と一致するような外径の円柱状に形成されており、比較的磁着力が強いものが利用される。しかも、磁石３、４は、接着剤等によって、半外殻体１、２に固着されている。
【００１５】
前記取付部５、６は、例えば、適宜貴金属製（或いは、貴金属メッキを施したもの）で、略円板状を呈する取付基片７、８からなり、この取付基片７、８は、半外殻体１、２の開口縁部分を含むような面に対して平行に配され、しかも、この取付基片７、８の略中央には、装身具本体Ｂの両端部分を取付けるための取付孔９、１０が穿設されている。
そして、一方の半外殻体１に設けられる一方の取付基片７と、他方の半外殻体２に設けられる他方の取付基片８とは、平行に配されると共に、半外殻体１、２の開口縁部分を含むような面に対して夫々接近した位置に配されるように構成してある。すなわち、装身具本体Ｂの両端部分が引張られるような不意の外力が加えられた時に、嵌合凸部と嵌合凹部の連結状態が解除され難くなるように構成してある。
【００１６】
前記装身具本体Ｂは、例えば、適宜貴金属製（或いは、貴金属メッキを施したもの）のものや、各種宝石類や真珠等を利用して構成したものでも良く、その両端部分が取付基片７、８の取付孔９、１０に取付できるように構成されたものであれば良い。
【００１７】
ところで、止具の具体的構成、形状、寸法、材質、雌止具Ａ１の具体的構成、形状、寸法、材質、雄止具Ａ２の具体的構成、形状、寸法、材質、半外殻体１、２の具体的構成、形状、寸法、材質、磁石３、４の具体的構成、形状、寸法、材質、配設位置、取付部５、６の具体的構成、形状、寸法、材質、取付基片７、８の具体的構成、形状、寸法、材質、配設位置、取付孔９、１０の具体的形状、寸法、配設位置等は図示例のもの等に限定されることなく適宜自由に設定、変更できるものである。
【００１８】
本考案の装身具用止具は前述の如く構成されており、次に、この止具の具体的な使用例について説明すると、先ず、雌止具Ａ１と雄止具Ａ２を手指で持って、嵌合凸部と嵌合凹部を接近せしめる。すると一対の磁石３、４相互の磁力によって嵌合凸部と嵌合凹部が引き寄せられて嵌合し、止具が連結状態となる。
【００１９】
そして、前記止具の連結状態を解除する場合は、雌止具Ａ１と雄止具Ａ２を夫々手指で摘み、嵌合凸部と嵌合凹部が相互に離隔する向きに力を加え、一対の磁石３、４相互の磁力に抗して雌止具Ａ１と雄止具Ａ２を引き離すことにより、止具の連結状態を解除する。
【図面の簡単な説明】
【００２０】
【図１】本考案の装身具用止具を例示する斜視図である。
【図２】本考案の装身具用止具を例示する断面図である。
【符号の説明】
【００２１】
Ａ１  雌止具          Ａ２  雄止具
１    半外殻体        ２    半外殻体
３    磁石            ４    磁石
５    取付部          ６    取付部
７    取付基片        ８    取付基片
９    取付孔          １０  取付孔
Ｂ    装身具本体
【図１】
0003103433.tif 000003
【図２】
0003103433.tif 000004